(57)【特許請求の範囲】
【請求項１】
球タンクのパチンコ球をパチンコ球払出装置に導く移送樋の上面に透溝を形成し、前記移送樋の上方には該移送樋と直交状の支持軸を差し渡し、前記支持軸にはコイルばねを嵌挿すると共に先端に爪状の球止片が形成された球止板を摺動且つ回動自在に軸支して、前記球止板の球止片を前記透溝に突入させて前記移送樋のパチンコ球の流下を阻止し得るようにしたパチンコ機における移送樋の球止装置であって、
前記移送樋に被係止部を設けると共に、前記球止板に係止部を設け、
前記球止板を前記コイルばねの付勢に抗して押圧しつつ軸方向に摺動させ、前記球止片を前記透溝内に突入させた後に該球止板の押圧を解除すると、前記球止板の係止部が前記移送樋の被係止部に係止されるようにしたことを特徴とするパチンコ機における移送樋の球止装置。
【発明の詳細な説明】
【０００１】
【発明の属する技術分野】
本発明は球タンクのパチンコ球をパチンコ球払出装置に導く移送樋の球止装置に関するものである。
【０００２】
【従来の技術】
従来、パチンコ機の遊技盤裏面には周知のように合成樹脂製の機構板が装着されており、該機構板の上部に球タンクが固着されている。また、球タンクの下方には該球タンク内に貯留されるパチンコ球をパチンコ球払出装置に導く移送樋が設けられており、該移送樋上に球止板を設けている。
【０００３】
前記球止板は移送樋上に差し渡した横軸に回動自在に軸支されており、通常は球止め解除位置に置かれている。そして、例えばパチンコ球払出装置に球噛み等の故障が発生して修理を行う際には球止板を球止め位置に回動すると共に、該球止板と一体の球止片を移送樋の球通路に突入させることによってパチンコ球の流下を阻止するようになっている。
【０００４】
【発明が解決しようとする課題】
しかし、従来の球止板にあっては、単に移送樋上に差し渡した横軸に回動自在に軸支されているだけであるため、球止板が球止め位置に置かれている場合に移送樋の球通路に突入する球止片が球タンクに貯留されているパチンコ球の球圧を受けるとその球圧によって球止板が上方へ持ち上げられてしまうようなことがあり、確実な球止め作用が望めないという問題ががあった。
【０００５】
本発明は上記した問題に鑑みてなされたもので、その目的とするところは、簡単な構造で球圧を受けても確実に球止め作用がなし得るようなパチンコ機における移送樋の球止装置を提供することにある。
【０００６】
【課題を解決するための手段】
上記目的を達成するために、本発明に係る移送樋の球止装置は、球タンクのパチンコ球をパチンコ球払出装置に導く移送樋上に球止め位置と球止め解除位置とに回動自在な球止板を設けてなるパチンコ機において、前記移送樋に被係止部を設けると共に、球止板に係止部を設け、該球止め位置で係止部を被係止部に係止させると共に、ばね作用によってその係止状態を維持させるようにしたものである。
【０００７】
前記移送樋は球タンクのパチンコ球を整列して導き出すタンクレール部と該タンクレール部の球圧を減少しながらパチンコ球払出装置に導くカーブレール部との二部材によって構成し、該カーブレール部に球止板を設けるのが好ましい。
【０００８】
そして、前記移送樋のカーブレール部上面に球止板の球止片が突入可能な透溝を形成し、該透溝の縁部を被係止部とするのがよい。
【０００９】
また、前記球止板はカーブレール部の透溝から球通路に突入する球止片の側縁に切欠部を設け、該切欠部を被係止部に係止する係止部とするとよい。
【００１０】
上記のように構成されたパチンコ機における移送樋の球止装置は、球止板の係止部を移送樋の被係止部に係止させることによって球タンクに貯留されているパチンコ球の球圧が球止板に掛けられても上方へもちあげられるようなことがなくなり、確実に球止め状態を維持することが可能となる。
【００１１】
【発明の実施の形態】
次に、本発明に係るパチンコ機における移送樋の球止装置の一実施の形態を図面を参照して説明する。図１は本発明が適用されるパチンコ機の裏面図である。図１において、１はパチンコ機の前面枠、２は前面枠１の裏面に着脱自在に取付けられる遊技盤、３は遊技盤２の裏面に開閉自在に装着された合成樹脂製の機構板である。
【００１２】
前記機構板３の裏面上部には球タンク４が固着されている。また、球タンク４の下方には移送樋５が設けてある。この移送樋５は球タンク４内に貯留されるパチンコ球を整列して導き出すタンクレール部５ａと下流端がパチンコ球払出装置６に接続するカーブレール部５ｂとの二部材で構成されている。このため、球タンク４のパチンコ球はタンクレール部５ａ，カーブレール部５ｂにより整列されながらパチンコ球払出装置６に連続して供給される。
【００１３】
前記タンクレール部５ａは、図２に示すように機構板３に当接する後側壁７と底部８及び前側壁９とにより上面が開口した樋状に形成されると共に、底部８の内底面には長手方向に仕切壁１０を設けて２条の球通路１１，１１が形成されている。一方、前記カーブレール部５ｂはタンクレール部５ａの球通路１１，１１を流下するパチンコ球の球圧を弱めるためのもので、外板１２と裏板１３との間に仕切壁１４を設けてタンクレール部５ａの球通路１１，１１に連通する２条の球通路１５，１５が形成されている。
【００１４】
前記カーブレール部５ｂの各球通路１５，１５には図３及び図４に示すように球切れ検知用レバー１６，１６及び該レバー１６，１６の押圧により作動するマイクロスイッチ１７，１７が設けてある。また、各球通路１５，１５には共通した球抜口１８が設けてあり、該球抜口１８の下方に球抜通路１９が設けられている。また、球抜口１８には可動底板２０、係合レバー２１及びレバー部材２２からなる球抜装置２３が設けられている。
【００１５】
前記可動底板２０はその上面に乗る球重量により図４鎖線のように下向きに回動して球抜口１８を開放すると共に、重錘部２４の作用力で同図実線の球抜口１８を閉じる位置に回動復帰するようになっている。また、係合レバー２１は一端が軸２５により上下方向へ回動自在に枢着されており、上面に形成した係止突部２６を可動底板２０の係合片部２７に係合して該可動底板２０を球抜口１８を閉じる位置に拘束するようになつている。
【００１６】
前記レバー部材２２は軸２８によつて前後方向へ回動可能に枢着されており、これと一体の連係ピン２９を係合レバー２１の長孔３０に臨ませている。そして、弾性片３１により常には図４実線位置に回動付勢されており、前方からの押圧による回動によって、連係ピン２９により係合レバー２１を図４鎖線のように下動して係止突部２６と係合片部２７との係合を外すもので、これによつて可動底板２０をフリー状態として球抜きすることができるようになっている。３２は球抜装置２３部分をカバーするカバー部材であって、これの内部にはレバー部材２２に当接させて該レバー部材２２のガタつきを抑制するための押圧片３３，３３が一体に設けてある。
【００１７】
しかして本発明では、前記カーブレール部５ｂの上方に位置するように球止板３４を設けると共に、該カーブレール部５ｂの上面壁３５に各球通路１５，１５に対応する透溝３６，３６を設けている。なお、透溝３６の側縁部分は後述する球止板３４の係止部が係止する被係止部となる個所である。
【００１８】
前記球止板３４は図５に示すようにカーブレール部５ｂの透溝３６，３６に突入する２本の爪状の球止片３７ａ，３７ｂと摘み片３８とを一体に有し、端部には筒部３９が設けてある。また、球止板３４の一方の球止片３７ａ側縁には前記透溝３６の側縁に係止する係止部としての切欠部４０が設けてある。
【００１９】
一方、カーブレール部５ｂの上方には球通路１５，１５と直交状に支持軸４１が設けてあり、該支持軸４１に球止板３４の筒部３９を挿通して該球止板３４を図６（イ）に示す球止め位置と図６（ロ）に示す球止め解除位置とに回動可能なように軸支している。また、球止板３４は支持軸４１に嵌挿したコイルばね４２によつて常に図６（イ）に示す球止め位置に付勢されるようになっている。なお、４３は球止板３４が支持軸４１から外れないようにする座付きねじ、４４は球止板３４が無用に上方へ回動するのを阻止するストッパーである。
【００２０】
本発明は上記のように構成されており、図６（ロ）に示すように球止板３４が球止め解除位置に置かれているとき、移送樋５のパチンコ球の流下を阻止する場合には、先ず、球止板３４を図６（ロ）鎖線のようにコイルばね４２の付勢に抗して押圧して軸方向へスライドさせる。そして、球止片３７ａ，３７ｂと透溝３６，３６とを一致させた状態で下方へ回動した後球止板３４の押圧を解除する。これによって、球止板３４はコイルばね４２の付勢によって図６（イ）の状態に復帰すると共に、これの切欠部４０が透溝３６の側縁下面に係止して球止め位置に確実に維持されることになる。なお、球止めを解除する場合には球止板３４を図６（イ）鎖線のようにコイルばね４２の付勢に抗して押圧して軸方向へスライドさせた後上方へ回動することによつて達せられる。
【００２１】
【発明の効果】
以上、説明したところから明らかなように、本発明に係るパチンコ機における移送樋の球止装置は、球止板の球止片に係止部を設け、該係止部を球止め位置において移送樋の被係止部に係止させるようにしたものであるから、球タンクに貯留されているパチンコ球の球圧が球止板の球止片に掛けられても該球止板が上方へ持ち上げられるような事態を確実に防止することができるため、球止め状態を確実に維持することができる。
【図面の簡単な説明】
【図１】本発明が適用されるパチンコ機の裏面図である。
【図２】カーブレール部部分の斜視図である。
【図３】カバー部材を外した状態のカーブレール部部分の斜視図である。
【図４】図２の断面正面図である。
【図５】球止装置部分の分解斜視図である。
【図６】（イ），（ロ）は作用を説明する断面図である。
【符号の説明】
４        球タンク
５        移送樋
３４      球止板
３６      透溝（被係止部）
４０      切欠部（係止部）
４２      コイルばね
【図１】
0003921322.tif 000002
【図２】
0003921322.tif 000003
【図３】
0003921322.tif 000004
【図４】
0003921322.tif 000005
【図５】
0003921322.tif 000006
【図６】
0003921322.tif 000007